(57)【要約】      （修正有）【課題】筒部に両側から貫入物を貫入することで衣服にリボン状の装飾物を形成する際に貫入物の筒部への貫入及び抜き取りが容易である衣服を提供する。【解決手段】衣服本体と、一方と他方との間に連続した貫通孔２６７を有し衣服本体に形成された中空の筒部２６０と、先端部分が筒部の貫通孔に一方から他方に向けて貫入可能かつ先端部分が他方側から突出可能に基端が衣服本体に取り付けられた第１の貫入物と、先端部分が筒部の貫通孔に他方から一方に向けて貫入可能かつ先端部分が一方側から突出可能に基端が衣服本体に取り付けられた第２の貫入物と、を備えてなり、筒部の少なくとも一部が弾性材料２６５により形成され、弾性材料により形成された弾性部が伸縮することで貫通孔が弾性的に拡縮する。【選択図】図６
0003188067.tif 000002
【実用新案登録請求の範囲】
【請求項１】
衣服本体と、
一方と他方との間に連続した貫通孔を有し衣服本体に形成された中空の筒部と、
先端部分が筒部の貫通孔に該一方から該他方に向けて貫入可能かつ先端部分が該他方側から突出可能に基端が衣服本体に取り付けられた第１の貫入物と、
先端部分が筒部の貫通孔に該他方から該一方に向けて貫入可能かつ先端部分が該一方側から突出可能に基端が衣服本体に取り付けられた第２の貫入物と、
を備えてなり、
筒部の少なくとも一部が弾性材料により形成され、弾性材料により形成された弾性部が伸縮することで貫通孔が弾性的に拡縮するものである、衣服。
【請求項２】
筒部の外面のうち、前記衣服を正面から見たときに観察される少なくとも一部が第１の貫入物及び第２の貫入物の外面を形成する材料と同質の材料により形成されているものである、請求項１に記載の衣服。
【請求項３】
第１の貫入物及び第２の貫入物を筒部に貫入した際、前記衣服を正面から見たときに弾性部が観察されないものである、請求項２に記載の衣服。
【請求項４】
衣服本体が、前面にて互いに開閉自在な右前身頃及び左前身頃を含んでなり、
第１の貫入物が右前身頃に直接又は間接に基端が取り付けられた短冊状物であると共に、第２の貫入物が左前身頃に直接又は間接に基端が取り付けられた短冊状物であり、
筒部が、右前身頃と左前身頃とを閉じた状態において衣服本体の前面を形成する右前身頃及び左前身頃のいずれかに形成されているものである、請求項１乃至３のいずれか１に記載の衣服。
【請求項５】
右前身頃及び左前身頃との一方を上前とし他方を下前として閉じるものであり、下前と重なった上前の縁部の近傍に筒部が形成されているものである、請求項４に記載の衣服。
【請求項６】
下前と重なった上前の縁部の上端近傍に筒部が形成されているものである、請求項５に記載の衣服。
【請求項７】
筒部が、上前の上縁に一縁が取り付けられると共に上前の前面に他縁が取り付けられた帯体と、該一縁と該他縁との間の上前の一部と、により構成されるものである、請求項６に記載の衣服。
【請求項８】
衣服本体が右襟と左襟とを有してなり、
第１の貫入物の基端が右襟に取り付けられると共に、第２の貫入物の基端が左襟に取り付けられるものである、請求項６又は７に記載の衣服。
【請求項９】
第１の貫入物が右襟前端から延びるように右襟と一体に形成されると共に、第２の貫入物が左襟前端から延びるように左襟と一体に形成されるものである、請求項８に記載の衣服。
【考案の詳細な説明】
【技術分野】
【０００１】
本考案は、衣服に関し、より詳細には、リボン状の装飾物を容易に形成できる衣服に関する。
【背景技術】
【０００２】
中空筒状の筒部と、筒部の一対の開口からそれぞれ突出する一対の突出部と、を含むリボン状の装飾物を有する衣服が用いられてきた（例えば、特許文献１参照）。
特許文献１には、「ファッション的にも綺麗な形状で、且つ簡易に装着できる新規なタイプのネクタイの製造が望まれていた」（特許文献１、発明の詳細な説明の段落番号０００６）ことに鑑みなされた「長手形状生地を中央部で挟持して左右均等に先端を開放形とするネクタイ部と、首の周囲を囲む伸縮性素材からなる保持材とが係止具を介して固定材と連接する環状型の首巻部と、これらを中央部で卷着する結び部とから構成されることを特徴とするリボン状ネクタイ」（特許文献１、発明の詳細な説明の段落番号０００８）が開示されている。かかるリボン状ネクタイは、長手形状生地を中央部で挟持して左右均等に先端を開放形とするネクタイ部と、それを中央部で卷着する結び部と、から構成される蝶々に似た形状のリボン状の装飾物を有することから、綺麗でファッション的にも優れる。
【０００３】
また、特許文献１開示のリボン状ネクタイのように衣服とは別個の特別な物品を用いることなく、蝶々に似た形状のリボン状の装飾物を衣服に形成することも行われてきた。
図１は、従来から用いられてきたオーバーブラウス１０１（衣服）の正面図であり、図２は図１の円Ｄ中の部分拡大図であり、図３は図２の状態から右襟短冊部５３及び左襟短冊部５５を筒部６０から抜き取った状態を示す部分拡大図であり、そして図４は図３のＡ−Ａ端面図である。図１乃至図４を参照して、従来のオーバーブラウス１０１について説明する。なお、「上」、「下」、「右」、「左」、「前」及び「後」は、オーバーブラウス１０１を着用し正面を向いて起立した着用者（不図示）が認識する「上」（図中、矢印Ｙ１）、「下」（図中、矢印Ｙ２）、「右」（図中、矢印Ｙ３）、「左」（図中、矢印Ｙ４）、「前」（図中、矢印Ｙ５）及び「後」（図中、矢印Ｙ６）をそれぞれいう。
従来のオーバーブラウス１０１は、前身頃１１と、後身頃２１と、右袖部分３３、左袖部分３５と、襟部４１と、着用者の首（不図示）の前に形成されたリボン部５１と、を有してなる。前身頃１１は右前身頃１３と左前身頃１５とを含んでなり、これら右前身頃１３と左前身頃１５とは４個のボタン７１とスナップ８１（図４に示す通り、スナップ嵌合可能な雄スナップ８３及び雌スナップ８５を有してなる。）とにより開閉自在になっている。襟部４１は右襟４３と左襟４５と後襟４７とを含んでなる。
【０００４】
リボン部５１は、右前身頃１３の前縁１３ａ近傍の上端部分に形成された筒部６０と、右襟４３の前端に連なるように形成された右襟短冊部５３と、左襟４５の前端に連なるように形成された左襟短冊部５５と、を有してなり、右襟短冊部５３及び左襟短冊部５５は筒部６０に内貫されている。なお、筒部６０は、一縁６３側が右前身頃１３（上前）に縫い込まれると共に他縁６５側が右前身頃１３の前面１３ｆに縫い付けられた帯体６１と、一縁６３と他縁６５との間の右前身頃１３の一部と、により構成されている。このような筒部６０は左右に通じた貫通孔６７を形成している（特に図４）。
図１及び図２の状態においては、右襟短冊部５３及び左襟短冊部５５は筒部６０の貫通孔６７に内貫されているが、かかる状態から筒部６０に対して右襟短冊部５３を右方向に引き抜くと共に左襟短冊部５５を左方向に引き抜くことで図３のような状態になる。図３のような状態において、４個のボタン７１及びスナップ８１を外して右前身頃１３と左前身頃１５とを開くことで、着用者（不図示）がオーバーブラウス１０１を着用したり脱いだりすることができる。
【先行技術文献】
【特許文献】
【０００５】
【特許文献１】特開２００２−２７５７１４号公報（例えば、要約、発明の詳細な説明０００１〜０００８、第１図、第２図等）
【考案の概要】
【考案が解決しようとする課題】
【０００６】
このオーバーブラウス１０１の着脱に際しては、右襟短冊部５３及び左襟短冊部５５を筒部６０の貫通孔６７に貫入すること（図３から図２）や、右襟短冊部５３及び左襟短冊部５５を筒部６０の貫通孔６７から抜き取ったりすること（図２から図３）を要するが、この右襟短冊部５３及び左襟短冊部５５の筒部６０の貫通孔６７への貫入や抜き取りが着用者（不図示）にとって難儀となることがある。即ち、筒部６０の貫通孔６７はあまり大きいと右襟短冊部５３及び左襟短冊部５５を貫通孔６７へ貫入してリボン部５１を形成したときにだらしなく見えることからあまり大きくすることはできず（通常、見栄えをよくするために小さめに形成される）、加えて、筒部６０は着用者（不図示）の首の前という着用者（不図示）から見にくい場所にあるためである。この右襟短冊部５３及び左襟短冊部５５の筒部６０の貫通孔６７への貫入や抜き取り作業が難儀なことは、オーバーブラウス１０１の着脱を迅速に行うことができない問題を生じさせることもあった。
そこで、本考案では、筒部に両側から貫入物（上の例では右襟短冊部５３及び左襟短冊部５５）を貫入することで衣服にリボン状の装飾物（上の例ではリボン部５１）を形成する際に貫入物の筒部への貫入及び抜き取りを容易ならしめる衣服を提供することを目的とする。
【課題を解決するための手段】
【０００７】
本考案の衣服（以下、「本衣服」という。）は、衣服本体と、一方と他方との間に連続した貫通孔を有し衣服本体に形成された中空の筒部と、先端部分が筒部の貫通孔に該一方から該他方に向けて貫入可能かつ先端部分が該他方側から突出可能に基端が衣服本体に取り付けられた第１の貫入物と、先端部分が筒部の貫通孔に該他方から該一方に向けて貫入可能かつ先端部分が該一方側から突出可能に基端が衣服本体に取り付けられた第２の貫入物と、を備えてなり、筒部の少なくとも一部が弾性材料により形成され、弾性材料により形成された弾性部が伸縮することで貫通孔が弾性的に拡縮するものである、衣服である。
【０００８】
本衣服は、衣服本体と、中空の筒部と、第１の貫入物と、第２の貫入物と、を備えてなる。
衣服本体は、本衣服の着用者の身体を覆うためのものであり、上半身用衣服及び下半身用衣服のいずれであってもよい。
中空の筒部は、衣服本体に形成され、一方と他方との間に連続した貫通孔を有する。筒部の貫通孔に第１の貫入物と第２の貫入物とを互いに逆方向（第１の貫入物は該一方から該他方に向けて貫入され、第２の貫入物は該他方から該一方に向けて貫入される）から貫入し、第１の貫入物の先端部分と第２の貫入物の先端部分とを突出させることで衣服にリボン状の装飾物を形成する。
第１の貫入物は、先端部分が筒部の貫通孔に該一方から該他方に向けて貫入可能であると共に先端部分が筒部の該他方側から突出可能となるように第１の貫入物の基端が衣服本体に取り付けられる。なお、ここにいう第１の貫入物の基端が衣服本体に「取り付け」られることには、該基端が衣服本体と一体的に形成されているような場合も含む。
第２の貫入物は、先端部分が筒部の貫通孔に該他方から該一方に向けて貫入可能であると共に先端部分が筒部の該一方側から突出可能となるように第２の貫入物の基端が衣服本体に取り付けられる。なお、ここにいう第２の貫入物の基端が衣服本体に「取り付け」られることには、該基端が衣服本体と一体的に形成されているような場合も含む。
そして、本衣服においては、貫通孔を取り囲む筒部の少なくとも一部が弾性材料により形成されることにより、弾性材料により形成された弾性部が伸縮することで貫通孔が弾性的に拡縮（貫通孔を拡大させるように力を加えることで拡大し、該力を除去又は減少させることで自動的に縮小する）するので、筒部の貫通孔に第１の貫入物と第２の貫入物とを貫入したり、筒部の貫通孔から第１の貫入物と第２の貫入物とを抜き取る際には、貫通孔を一時的に拡大させることでこれら貫入及び抜き取りを容易に行うことができる。なお、貫通孔の拡縮は、該一方と該他方とを結ぶ線分に対して垂直な平面により筒部を切断した際、貫通孔を規定する筒部の内面と該平面との交線の長さが増減するものをいい、かかる交線長さの増減を円滑に行いうることからは、該一方と該他方との間に弾性部が連続していてもよい。また、弾性材料としては、このように貫通孔が十分拡縮するようなものを広く用いることができ、特に制限されるものではいが、一例を挙げるとすると、平ゴム、ゴム紐、ゴムシート等を用いてもよい。
【０００９】
本衣服においては、筒部の外面のうち、前記衣服を正面から見たときに観察される少なくとも一部が第１の貫入物及び第２の貫入物の外面を形成する材料と同質の材料により形成されているもの（以下、「同質リボン形成本衣服」という。）であってもよい。
こうすることで筒部の貫通孔に第１の貫入物と第２の貫入物とを互いに逆方向から貫入し第１の貫入物の先端部分と第２の貫入物の先端部分とを筒部の両側に突出させてリボン状の装飾物を形成した場合、本衣服を正面から見たときに、筒部の外面の少なくとも一部（全部であってもよい）を形成する材料が、第１の貫入物の外面を形成する材料及び第２の貫入物の外面を形成する材料と同質（例えば、同じ布）であることにより、形成されるリボン状の装飾物全体が同質のものとして一体的に観察され、リボン状の装飾物の見栄えを向上させることができる。
【００１０】
同質リボン形成本衣服の場合、第１の貫入物及び第２の貫入物を筒部に貫入した際、前記衣服を正面から見たときに弾性部が観察されないものであってもよい。
弾性部は弾性材料により形成されるため、第１の貫入物及び第２の貫入物の外面を形成する材料と同じような材料で形成することが難しいことが多い。このため第１の貫入物及び第２の貫入物を筒部に貫入した際に形成されるリボン状の装飾物を本衣服の正面から見たとき、第１の貫入物及び第２の貫入物の外面を形成する材料と同質の材料により形成された筒部の外面の部分が観察されるが、弾性部が観察されないように弾性部を筒部において配設することで、リボン状の装飾物が同質のものとしてより一体的に観察され、リボン状の装飾物の見栄えを一層向上させることができる。
【００１１】
本衣服においては、衣服本体が、前面にて互いに開閉自在な右前身頃及び左前身頃を含んでなり、第１の貫入物が右前身頃に直接又は間接に基端が取り付けられた短冊状物であると共に、第２の貫入物が左前身頃に直接又は間接に基端が取り付けられた短冊状物であり、筒部が、右前身頃と左前身頃とを閉じた状態において衣服本体の前面を形成する右前身頃及び左前身頃のいずれかに形成されているもの（以下、「前面リボン形成本衣服」という。）であってもよい。
このように衣服本体が、前面にて互いに開閉自在な右前身頃及び左前身頃を含んでなり（上半身用衣服をなす）、第１の貫入物及び第２の貫入物いずれも、両長縁が略平行な帯状をなす短冊状物（例えば、両主表面が細長い長方形をなすもの）としてもよい。この場合、第１の貫入物をなす短冊状物の基端を右前身頃に直接又は間接に取り付け（設け）、第２の貫入物をなす短冊状物の基端を左前身頃に直接又は間接に取り付け（設け）（なお、ここにいう直接取り付けるとは基端を右前身頃又は左前身頃に別部材を介することなく取り付ける（設ける）ことをいい、間接に取り付けるとは基端を右前身頃又は左前身頃に別部材を介して取り付けることをいう。）、そして右前身頃と左前身頃とを閉じた状態において衣服本体の前面を形成する右前身頃及び左前身頃のいずれかに筒部を形成することで、右前身頃と左前身頃とを閉じた状態において衣服本体の前面にリボン状の装飾物を容易に形成でき、本衣服の見栄えを容易に向上させることができる。
【００１２】
前面リボン形成本衣服の場合、右前身頃及び左前身頃との一方を上前とし他方を下前として閉じるものであり、下前と重なった上前の縁部の近傍に筒部が形成されているもの（以下、「上前縁部筒部形成本衣服」という。）であってもよい。
こうすることで右前身頃と左前身頃とを閉じた状態において衣服本体の前面のうち右前身頃と左前身頃とが合わさった位置の近傍にリボン状の装飾物を容易に形成できるので、上前及び下前として閉じて両前見頃が合わさった部分をリボン状の装飾物が装飾することができ、両前見頃が合わさった部分（装飾的な要素が少なく面白味に欠けることが多い）に面白味を与え本衣服の見栄えをうまく向上させることができる。
【００１３】
上前縁部筒部形成本衣服の場合、下前と重なった上前の縁部の上端近傍に筒部が形成されているもの（以下、「上端近傍筒部形成本衣服」という。）であってもよい。
こうすることで本衣服着用者の上半身上部（首から胸までの位置）に該当する位置にリボン状の装飾物を形成でき、本衣服に華やかな雰囲気を与え本衣服の見栄えを効果的に向上させることができる。
【００１４】
上端近傍筒部形成本衣服の場合、筒部が、上前の上縁に一縁が取り付けられると共に上前の前面に他縁が取り付けられた帯体と、該一縁と該他縁との間の上前の一部と、により構成されるものであってもよい。
こうすることで簡単に構成できる帯体を上前の上縁に一縁を取り付けると共に上前の前面に他縁を取り付けることにより、該帯体とその該一縁と該他縁との間の上前の一部とにより筒部を容易に構成できるので、本衣服を容易に形成できる。
【００１５】
上端近傍筒部形成本衣服の場合、衣服本体が右襟と左襟とを有してなり、第１の貫入物の基端が右襟に取り付けられると共に、第２の貫入物の基端が左襟に取り付けられるもの（以下、「襟取り付け本衣服」という。）であってもよい。
衣服本体が右襟と左襟とを有し、第１の貫入物をなす短冊状物の基端を右襟に取り付け（右前身頃に間接に取り付け）、第２の貫入物をなす短冊状物の基端を左襟に取り付け（左前身頃に間接に取り付け）ることにより、右襟に連なる第１の貫入物と左襟に連なる第２の貫入物とによりリボン状の装飾物を形成するので、リボン状の装飾物が両襟と視覚上の一体感を創り出し本衣服に豪華な雰囲気を与え本衣服の見栄えをうまく向上させることができる。
【００１６】
襟取り付け本衣服の場合、第１の貫入物が右襟前端から延びるように右襟と一体に形成されると共に、第２の貫入物が左襟前端から延びるように左襟と一体に形成されるものであってもよい。
こうすることで第１の貫入物と右襟とが一体に形成（第１の貫入物をなす短冊状物の基端が右襟前端となる）され、第２の貫入物と左襟とが一体に形成（第２の貫入物をなす短冊状物の基端が左襟前端となる）されることで、リボン状の装飾物が両襟とが視覚上のさらなる一体感を創り出し本衣服に豪華な雰囲気を与え本衣服の見栄えをうまく向上させることができると共に、貫入物を別個に形成する必要がないので本衣服を容易に製造することができる。
【図面の簡単な説明】
【００１７】
【図１】従来から用いられてきたオーバーブラウス（衣服）の正面図である。
【図２】図１の円Ｄ中の部分拡大図（リボン部及びその近傍の拡大）である。
【図３】図２の状態から右襟短冊部及び左襟短冊部を筒部から抜き取った状態を示す部分拡大図である。
【図４】図３のＡ−Ａ端面図である。
【図５】本考案の一実施形態の衣服（本衣服）であるオーバーブラウスのリボン部を形成する筒部及びその周囲を示す一部拡大正面図である。
【図６】図５のＡ−Ａ端面図である。
【図７】図６の状態から筒部の貫通孔を拡張したところを示す端面図である。
【図８】本考案の一実施形態の衣服（本衣服）であるオーバーブラウスのリボン部及びその近傍の拡大図である。
【考案を実施するための形態】
【００１８】
本考案の実施の形態を図面を参照して詳述するが、本考案はこれに限定されるものではない。
【００１９】
図５は、本考案の一実施形態の衣服（本衣服）であるオーバーブラウス２０１のリボン部を形成する筒部２６０及びその周囲を示す一部拡大正面図である（従来のオーバーブラウス１０１における図３と同じ部分を示している。）。図６は図５のＡ−Ａ端面図である（従来のオーバーブラウス１０１における図４と同じ部分を示している。）。オーバーブラウス２０１は、オーバーブラウス１０１に比し筒部２６０が筒部６０と異なるのみであり、その余りは同様である。このためオーバーブラウス２０１とオーバーブラウス１０１とにおいて共通する要素には同じ参照番号を付し、重複する説明は省略する（必要に応じオーバーブラウス１０１の前述の説明を参照されたい）。
【００２０】
筒部２６０は、一縁（後述のゴム帯部分２６５の他縁２６５ｂ）側が右前身頃１３（上前）の上縁に縫い込まれると共に他縁（後述の布帯部分２６３の他縁２６３ｂ）側が右前身頃１３の前面１３ｆに縫い付けられた帯体２６１と、帯体２６１の一縁（ゴム帯部分２６５の他縁２６５ｂ）と他縁（布帯部分２６３の他縁２６３ｂ）との間の右前身頃１３の部分１３ｃと、を含んで構成されている。帯体２６１は布帯部分２６３とゴム帯部分２６５とを有してなる。
布帯部分２６３は、右襟短冊部５３及び左襟短冊部５５を形成している布と同じ布により形成された帯状（両主表面が細長い長方形形状をなす）の部材により形成されており、布帯部分２６３の一縁２６３ａはゴム帯部分２６５の一縁２６５ａに取り付けられると共に、布帯部分２６３の他縁２６３ｂ側が右前身頃１３の前面１３ｆに取り付け（縫い付け）られている。
ゴム帯部分２６５は、株式会社三景社製の商品名「スパークベルト」（型番S-20）を用いて形成しており、一縁２６５ａと他縁２６５ｂとの間を引き延ばす力を加えると両縁２６５ａ、２６５ｂの間が延びると共に収縮する力を生じ（引っ張りばねに類似する）、その引き延ばす力を減じたり除くと両縁２６５ａ、２６５ｂの間が縮まる。このようにゴム帯部分２６５は弾性的（可逆的）に伸び縮みする。ゴム帯部分２６５の他縁２６５ｂ側は右前身頃１３の上縁に取り付けられる（縫い込まれる）と共に一縁２６５ａが布帯部分２６３の一縁２６３ａに取り付け（縫い付け）られている。
このようにして布帯部分２６３とゴム帯部分２６５とそれらの間に存する右前身頃１３の部分１３ｃとにより筒部２６０が形成され、左右に通じた貫通孔２６７を形成している。
【００２１】
オーバーブラウス２０１の使用方法を簡単に説明しておく。
図７に示すように、筒部２６０の貫通孔２６７に指３０１を挿入し、帯体２６１の内面（ここでは布帯部分２６３の内面）に前向き（矢印Ｙ５方向）の力を加えることで、ゴム帯部分２６５の一縁２６５ａと他縁２６５ｂとの間を引き延ばす。こうすることで貫通孔２６７を前後方向（矢印Ｙ５、矢印Ｙ６方向）に拡張することができるので（図６の貫通孔２６７と図７の貫通孔２６７とを比較されたい）、この拡張された状態の貫通孔２６７に右襟短冊部５３及び左襟短冊部５５を容易に貫入することができる（筒部２６０に対して右襟短冊部５３を左方向（矢印Ｙ４方向）に貫入すると共に左襟短冊部５５を右方向（矢印Ｙ３方向）に貫入する。）。
その後、貫通孔２６７から指３０１を抜き取ることで、ゴム帯部分２６５の一縁２６５ａと他縁２６５ｂとの間が自動的に縮まり、図８に示すようにリボン部２５１を形成することができる。図８に示す通り、オーバーブラウス２０１の前面から見ると、筒部２６０（帯体２６１）の布帯部分２６３が目視できるが、ゴム帯部分２６５は目視できないため、右襟短冊部５３、左襟短冊部５５及び布帯部分２６３が同じ布により形成されていることから右襟短冊部５３、左襟短冊部５５及び布帯部分２６３により調和のとれた見栄えの良いリボン部２５１を形成している。
【００２２】
また、図８の状態においては、右襟短冊部５３及び左襟短冊部５５は筒部２６０の貫通孔２６７に内貫されているが、かかる状態から筒部２６０に対して右襟短冊部５３を右方向（矢印Ｙ３方向）に引き抜くと共に左襟短冊部５５を左方向（矢印Ｙ４方向）に引き抜くことで図５のような状態に戻すことができる。図５のような状態において、４個のボタン７１及びスナップ８１を外して右前身頃１３と左前身頃１５とを開くことで、着用者（不図示）がオーバーブラウス２０１を着用したり脱いだりすることができる。
【００２３】
このようにオーバーブラウス２０１においては、右襟短冊部５３及び左襟短冊部５５を貫通孔２６７へ貫入したり抜き取る際は、ゴム帯部分２６５を引き延ばすことで貫通孔２６７を拡張することができるので、右襟短冊部５３及び左襟短冊部５５を拡張状態の貫通孔２６７へ貫入したり抜き取ることを容易かつ迅速に行うことができる。そして、右襟短冊部５３及び左襟短冊部５５の貫通孔２６７への貫入や抜き取りが終わると（ゴム帯部分２６５を引き延ばす力を除去する）、ゴム帯部分２６５が収縮して貫通孔２６７が縮小されるので、右襟短冊部５３及び左襟短冊部５５をしっかりと筒部２６０が締め付けて清潔感のあるリボン部２５１を形成できる。即ち、オーバーブラウス２０１のリボン部２５１は、リボン部２５１を形成したときの筒部２６０の貫通孔２６７を大きくすることなく右襟短冊部５３及び左襟短冊部５５の貫通孔２６７への貫入や抜き取りを容易に行うことができ（右襟短冊部５３及び左襟短冊部５５の貫通孔２６７への貫入や抜き取りを行うときには、ゴム帯部分２６５を引き延ばして貫通孔２６７を拡張させることで貫入や抜き取りを容易かつ迅速に行うことができる。）、オーバーブラウス２０１をだらしなくすることなく清潔感を保ったままオーバーブラウス２０１の着脱を容易かつ迅速に行うことができるものである。
【００２４】
以上説明したように、オーバーブラウス２０１は、衣服本体（ここでは前身頃１１、後身頃２１、右袖部分３３、左袖部分３５、襟部４１、ボタン７１及びスナップ８１を含んでなる）と、一方２６１ａと他方２６１ｂとの間に連続した貫通孔２６７を有し衣服本体に形成された中空の筒部２６０と、先端部分５３ａが筒部２６０の貫通孔２６７に該一方２６１ａから該他方２６１ｂに向けて貫入可能かつ先端部分５３ａが該他方２６１ｂ側から突出可能に基端が衣服本体に取り付けられた第１の貫入物（ここでは右襟短冊部５３）と、先端部分５５ａが筒部２６０の貫通孔２６７に該他方２６１ｂから該一方２６１ａに向けて貫入可能かつ先端部分５５ａが該一方２６１ａ側から突出可能に基端が衣服本体に取り付けられた第２の貫入物（ここでは左襟短冊部５５）と、を備えてなり、筒部２６０の少なくとも一部が弾性材料（ここでは株式会社三景社製の商品名「スパークベルト」（型番S-20））により形成され、弾性材料により形成された弾性部（ここではゴム帯部分２６５。なお、ゴム帯部分２６５は該一方２６１ａと該他方２６１ｂとの間に連続している。）が伸縮することで貫通孔２６７が弾性的に拡縮（図６と図７とを比較すると、筒部２６０の内周が増減している。）するものである、衣服である。
【００２５】
オーバーブラウス２０１においては、筒部２６０の外面のうち、前記衣服（オーバーブラウス２０１）を正面から見たとき（図８）に観察される少なくとも一部（ここでは全部である。）が第１の貫入物（右襟短冊部５３）及び第２の貫入物（左襟短冊部５５）の外面を形成する材料と同質の材料（ここでは布）により形成されているものである。
オーバーブラウス２０１においては、第１の貫入物（右襟短冊部５３）及び第２の貫入物（左襟短冊部５５）を筒部２６０に貫入した際、前記衣服（オーバーブラウス２０１）を正面から見たとき（図８）に弾性部（ゴム帯部分２６５）が観察されないものである（布帯部分２６３のみが観察される）。
オーバーブラウス２０１においては、衣服本体が、前面にて互いに開閉自在な右前身頃１３及び左前身頃１５を含んでなり、第１の貫入物（右襟短冊部５３）が右前身頃１３に直接又は間接（ここでは右襟４３を介して間接的に取り付けられている）に基端が取り付けられた短冊状物であると共に、第２の貫入物（左襟短冊部５５）が左前身頃１５に直接又は間接（ここでは左襟４５を介して間接的に取り付けられている）に基端が取り付けられた短冊状物であり、筒部２６０が、右前身頃１３と左前身頃１５とを閉じた状態において衣服本体の前面を形成する右前身頃１３及び左前身頃１５のいずれか（ここでは右前身頃１３）に形成されているものである。
オーバーブラウス２０１においては、右前身頃１３及び左前身頃１５との一方（ここでは右前身頃１３）を上前とし他方（ここでは左前身頃１５）を下前として閉じるものであり、下前（左前身頃１５）と重なった上前（右前身頃１３）の縁部（ここでは前縁１３ａ）の近傍に筒部２６０が形成されているものである。
オーバーブラウス２０１においては、下前（左前身頃１５）と重なった上前（右前身頃１３）の縁部（前縁１３ａ）の上端近傍に筒部２６０が形成されているものである。
オーバーブラウス２０１においては、筒部２６０が、上前（右前身頃１３）の上縁に一縁（ここではゴム帯部分２６５の他縁２６５ｂ）が取り付けられると共に上前（右前身頃１３）の前面１３ｆに他縁（ここでは布帯部分２６３の他縁２６３ｂ）が取り付けられた帯体２６１（ゴム帯部分２６５と布帯部分２６３とを含んでなる）と、該一縁（ゴム帯部分２６５の他縁２６５ｂ）と該他縁（布帯部分２６３の他縁２６３ｂ）との間の上前（右前身頃１３）の一部１３ｃと、により構成されるものである。
オーバーブラウス２０１においては、衣服本体が右襟４３と左襟４５とを有してなり、第１の貫入物（右襟短冊部５３）の基端が右襟４３に取り付けられると共に、第２の貫入物（左襟短冊部５５）の基端が左襟４５に取り付けられるものである。
オーバーブラウス２０１においては、第１の貫入物（右襟短冊部５３）が右襟４３前端から延びるように右襟４３と一体に形成されると共に、第２の貫入物（左襟短冊部５５）が左襟４５前端から延びるように左襟４５と一体に形成されるものである。
【符号の説明】
【００２６】
１１          前身頃
１３          右前身頃
１３ａ        前縁
１３ｃ        部分
１３ｆ        前面
１５          左前身頃
２１          後身頃
３３          右袖部分
３５          左袖部分
４１          襟部
４３          右襟
４５          左襟
４７          後襟
５１          リボン部
５３          右襟短冊部
５３ａ        先端部分
５５          左襟短冊部
５５ａ        先端部分
６０          筒部
６１          帯体
６３          一縁
６５          他縁
６７          貫通孔
７１          ボタン
８１          スナップ
８３          雄スナップ
８５          雌スナップ
１０１          オーバーブラウス（従来品）
２０１          オーバーブラウス（本衣服）
２５１          リボン部
２６０          筒部
２６１          帯体
２６１ａ        一方
２６１ｂ        他方
２６３          布帯部分
２６３ａ        一縁
２６３ｂ        他縁
２６５          ゴム帯部分
２６５ａ        一縁
２６５ｂ        他縁
２６７          貫通孔
３０１          指
【図１】
0003188067.tif 000003
【図２】
0003188067.tif 000004
【図３】
0003188067.tif 000005
【図４】
0003188067.tif 000006
【図５】
0003188067.tif 000007
【図６】
0003188067.tif 000008
【図７】
0003188067.tif 000009
【図８】
0003188067.tif 000010